(57)【要約】【課題】検体の撮影範囲がわかる表示装置及び表示方法を提供することを目的とする。【解決手段】本発明に係る表示装置は、検体に関する情報を取得する取得手段と、前記情報中の該検体に対する撮影装置の撮影範囲の情報に基づいて、該検体の人体模式図に前記撮影装置の撮影範囲を示した図形を生成する生成手段と、前記図形を表示手段に表示する表示制御手段とを有することを特徴とする。生成手段は、異なる撮影装置に対して、夫々異なる図形を用いて描画することができる。【選択図】図５
2012071122.tif 000002
【特許請求の範囲】
【請求項１】
検体に関する情報を取得する取得手段と、
前記情報の中の該検体に対する撮影装置の撮影範囲の情報に基づいて、該検体の人体模式図に前記撮影装置の撮影範囲を示した図形を生成する生成手段と、
前記図形を表示手段に表示する表示制御手段と、
を備えることを特徴とする表示装置。
【請求項２】
前記生成手段は、異なる撮影装置に対して夫々異なる図形を用いて描画することを特徴とする請求項１に記載の表示装置。
【請求項３】
前記表示制御手段は、前記表示手段に前記図形の大きさを示す目盛りを表示することを特徴とする請求項１又は２に記載の表示装置。
【請求項４】
前記取得手段で取得した情報には前記検体の身長の情報が含まれており、
前記人体模式図の大きさは前記検体の身長を表していることを特徴とする請求項１に記載の表示装置。
【請求項５】
前記取得手段で取得した情報には前記検体の撮影時の姿勢の情報が含まれており、
前記人体模式図は前記検体の姿勢を表していることを特徴とする請求項４に記載の表示装置。
【請求項６】
前記取得手段で取得した情報には前記検体の撮影時の重力方向の情報が含まれており、
前記表示制御手段は、前記重力方向を示す図形を表示していることを特徴とする請求項１に記載の表示装置。
【請求項７】
前記検体の情報は複数の医用画像に関するリストとして表示手段に表示され、
前記取得手段は前記リストの上で指示された位置に対応した検体の情報を取得することを特徴とする請求項１に記載の表示装置。
【請求項８】
検体に関する情報を取得する取得工程と、
前記情報の中の該検体に対する撮影装置の撮影範囲の情報に基づいて、該検体の人体模式図に前記撮影装置の撮影範囲を示した図形を生成する生成工程と、
前記図形を表示手段に表示する表示制御工程と、
を備えることを特徴とする表示方法。
【請求項９】
請求項８に記載の表示方法をコンピュータに実行させるためのプログラムを記憶した記憶媒体。
【請求項１０】
複数の医用画像の表示項目をリスト表示する手段と、
前記リスト表示された複数の医用画像から一つの医用画像を選択する手段と、
前記選択された医用画像の属性情報を示す図形を人体模式図に対して適切な位置に表示する手段を備えることを特徴とする表示装置。
【請求項１１】
前記図形を表示する手段は、前記選択された医用画像の複数の属性情報に対して夫々異なる図形を用いて、これら複数の図形を夫々人体模式図に対して適切な位置に表示することを特徴とする請求項１に記載の表示装置。
【請求項１２】
複数の医用画像の表示項目をリスト表示する手段と、
前記リスト表示された複数の医用画像から同じ患者ＩＤを有する複数の医用画像を取得する手段と、
前記取得された複数の医用画像の夫々の属性情報を示す図形を人体模式図に対して適切な位置に同時または順次表示する手段を備えることを特徴とする表示装置。
【請求項１３】
複数の医用画像の表示項目をリスト表示する工程と、
前記リスト表示された複数の医用画像から一つの医用画像を選択する工程と、
前記選択された医用画像の属性情報を示す図形を人体模式図に対して適切な位置に表示する工程を備えることを特徴とする表示方法。
【請求項１４】
請求項１３に記載の表示方法をコンピュータに実行させるためのプログラムを記憶した記憶媒体。
【発明の詳細な説明】
【技術分野】
【０００１】
本発明は、検体の撮影範囲を表示する技術に関する。
【背景技術】
【０００２】
従来の医用画像のリスト表示装置は、リスト表示項目（撮影情報、患者の属性情報、医用画像の属性情報）を文字列として表示するものであった。通常、リストの１行に、１回の検査（撮影）で得られた医用画像に関するリスト表示項目を表示する。
【０００３】
特許文献１は、文字列表示された医用画像リスト上で、ユーザが一つの医用画像を選択すると、その医用画像の撮影部位像と画像種別を示す図を人体模式図上に図示するものである。これにより、ユーザは選択した医用画像の撮影部位と画像種別を容易に判別することができる。
【先行技術文献】
【特許文献】
【０００４】
【特許文献１】特開２００８−２６４１６７号公報
【発明の概要】
【発明が解決しようとする課題】
【０００５】
しかし、上記特許文献１に記載の技術は、人体模型の部位像によって撮影部位を図示する手法を用いているため、予め用意した部位像に一致しない撮影部位の図示が困難であった。また、上記特許文献１に記載の技術は、患者がどの様な姿勢で撮影されたか、すなわち撮影装置や重力方向に対する患者の姿勢を示すことはできなかった。更に、同一患者に対して異なる検査（異なるモダリティを用いた撮影）を行った場合や、複数の日に渡って複数回の撮影を行った場合など、同一患者の医用画像が複数存在することがある。しかし、従来の技術では、同一患者の医用画像が複数あることを図示し、かつ、これら複数の医用画像の属性情報を同時に図示することはできなかった。それゆえ、従来の技術によって容易に判別できる情報は限られており、ユーザは患者の正確な撮影部位、患者の撮影時の姿勢、同一患者の複数の医用画像の属性情報といった有用な属性情報を容易に判別することができないという課題があった。本発明は、この様な課題に鑑みてなされたものであり、上記の課題を解決する装置を提供することを目的とする。
【課題を解決するための手段】
【０００６】
本発明に係る表示装置は、検体に関する情報を取得する取得手段と、前記情報中の該検体に対する撮影装置の撮影範囲の情報に基づいて、該検体の人体模式図に前記撮影装置の撮影範囲を示した図形を生成する生成手段と、前記図形を表示手段に表示する表示制御手段とを備える。
【発明の効果】
【０００７】
本発明に係る表示装置によれば、検体の撮影範囲を容易に判別することができるようになる。
【図面の簡単な説明】
【０００８】
【図１】第１及び第２の実施形態に係る表示装置の機器構成例を示す図である。
【図２】第１の実施形態に係る表示装置の第１の画面表示例を示す図である。
【図３】第１の実施形態に係る表示装置の第２の画面表示例を示す図である。
【図４】第１の実施形態に係る表示装置の第３の画面表示例を示す図である。
【図５】第１の実施形態に係る表示装置の制御手順を示すフローチャートである。
【図６】第２の実施形態に係る表示装置の第１の画面表示例を示す図である。
【図７】第２の実施形態に係る表示装置の制御手順を示すフローチャートである。
【発明を実施するための形態】
【０００９】
以下、添付図面に従って本発明に係る表示装置及びその制御方法の好ましい実施形態について説明する。ただし、発明の範囲は図示例に限定されるものではない。
【００１０】
［第１の実施形態］
図１は、第１の実施形態に係る表示装置の機器構成例を示す図である。表示装置１は、制御部１０、モニタ１０４、マウス１０５、キーボード１０６を有する。制御部１０は、中央処理装置（ＣＰＵ）１００、主メモリ１０１、磁気ディスク１０２、表示メモリ１０３を有する。そして、ＣＰＵ１００が主メモリ１０１に格納されたプログラムを実行することにより、医用画像データベース２との通信、表示装置１の全体制御、等の各種制御が実行される。
【００１１】
ＣＰＵ１００は、主として表示装置１の各構成要素の動作を制御する。主メモリ１０１は、ＣＰＵ１００が実行する制御プログラムの格納や、ＣＰＵ１００によるプログラム実行時の作業領域の提供を行う。磁気ディスク１０２は、オペレーティングシステム（ＯＳ）、周辺機器のデバイスドライブ、後述する診断支援処理等を行うためのプログラムを含む各種アプリケーションソフト等を格納する。表示メモリ１０３は、モニタ１０４のための表示用データを一時記憶する。モニタ１０４は、例えばＣＲＴモニタや液晶モニタ等であり、表示メモリ１０３からのデータに基づいて画像を表示する。マウス１０５及びキーボード１０６はユーザ（医師）によるポインティング入力及び文字等の入力をそれぞれ行う。上記各構成要素は共有バス１０７により互いに通信可能に接続されている。
【００１２】
本実施形態において、表示装置１はＬＡＮ（Ｌｏｃａｌ  Ａｒｅａ  Ｎｅｔｗｏｒｋ）３を介して、医用画像データベース２から画像データを読み出すことができる。ここで、医用画像データベース２として既存のＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）を利用することができる。または、表示装置１に外部記憶装置、例えばＦＤＤ、ＨＤＤ、ＣＤドライブ、ＤＶＤドライブ、ＭＯドライブ、ＺIＰドライブ等を接続し、それらのドライブから画像データを読み込むようにしてもよい。
【００１３】
なお、上述の機器構成は、一般的なコンピュータ及びその周辺装置を用いて構成することができる。また、図５を用いて後述する本発明に係る表示装置の制御手順は、コンピュータ上で実行されるプログラムとして実現することができる。
【００１４】
医用画像の種類には、単純Ｘ線画像、Ｘ線ＣＴ画像、ＭＲI画像、ＰＥＴ画像、ＳＰＥＣＴ画像、超音波画像などがある。通常、医用画像は、ＤＩＣＯＭ規格と呼ばれる医用画像の通信・保管に関する国際標準規格に準拠したファイル（ＤＩＣＯＭファイル）として保管される。ＤＩＣＯＭファイルの前半部（ヘッダ部）には、撮影情報、患者の属性情報、医用画像の属性情報など、様々な情報が記録されており、これらの情報の一部をリスト表示項目として用いることができる。あるいは、ＤＩＣＯＭファイルの生成と保管を指示するシステムである不図示の放射線科情報システム（ＲＩＳ）から、ＬＡＮ３を介して、撮影情報、患者の属性情報、医用画像の属性情報などを受信することができる。
【００１５】
図２は、第１の実施形態に係る表示装置の第１の画面表示例を示す図である。同図において、医用画像リスト２１０には、リスト表示項目が文字列として表示される。同図の例では、リストの各行に、１回の検査（撮影）で得られた医用画像に関するリスト表示項目を表示している。また、同図の例では、リスト表示項目として、読影ステータス、撮影日、検査ＩＤ、シリーズ数、画像枚数、患者（検体）ＩＤ、モダリティ、撮影部位、依頼科を表示している。ここで、読影ステータスは、画像診断の進捗状況を示す。シリーズ数は、ＣＴやＭＲＩの１回の撮影で取得される複数スライス画像のまとまりの数である。画像枚数は、１回の検査で撮影された全シリーズの画像枚数の合計を示す。モダリティは、撮影装置の種類及び造影剤の使用の有無を示す。この他にも、患者（検体）の氏名や、画像診断医の氏名などの情報を表示してもよい。
【００１６】
図形情報表示エリア２２０には、人体模式図である図形Ｈ１と、医用画像Ｉ１の所定の属性情報Ａ１を示す図形Ｆ１と、患者の大きさや撮影範囲の大きさを示す目盛りＭ１を表示する。ここで、図形Ｈ１は、人体をグラフィカルに表示する情報という意味で用いており、図形の代わりに画像や記号を用いてもよい。また、同様に、図形Ｆ１は、医用画像Ｉ１の所定の属性情報Ａ１をグラフィカルに表示する情報という意味で用いており、図形の代わりに画像や記号を用いてもよい。また、目盛りＭ１は必要に応じて表示すればよい。医用画像Ｉ１は、医用画像リスト２１０上でユーザによって選択された医用画像である。同図の例では、医用画像の所定の属性情報Ａ１として撮影部位が利用されており、図形Ｆ１は、医用画像Ｉ１の撮影部位を適切に示す位置に、撮影範囲を表す矩形として表示される。ここで、図形Ｆ１は図形Ｈ１に対して適切な位置に配置される。従って、撮影部位の代わりに、より正確な撮影位置情報を用いることができる場合は、図形Ｆ１はその正確な撮影位置に、正確な矩形サイズで表示することができる。例えば、胸部ＣＴ画像のＤＩＣＯＭファイルのヘッダ部には、鎖骨を基準点（位置0mm）とし、頭から足元に向かう方向を＋方向とする座標軸に沿った、正確な撮影範囲がmm単位で記載されていることがある。こうした正確な位置情報をＤＩＣＯＭファイルのヘッダ部から読み出して上記属性情報Ａ１として用いることにより、図形Ｆ１を図形Ｈ１に対して、より正確な位置に表示することができる。更に、患者の身長をＤＩＣＯＭファイルのヘッダ部から読み出すことができた場合は、図形Ｆ１のサイズに対して目盛りＭ１のサイズ（目盛りの刻み幅）を適切に表示することができる。あるいは逆に、目盛りＭ１のサイズを固定しておき、図形Ｆ１のサイズを適切に調整して表示することができる。
【００１７】
図３は、第１の実施形態に係る表示装置の第２の画面表示例を示す図である。ただし、医用画像リストは図２に示した例と同様なので表示を省略しており、図形情報表示エリア３２０だけを表示している。
【００１８】
図３の例では、医用画像Ｉ１を撮影したモダリティが寝台を有する撮影装置であった場合を想定している。同図において、人体模式図である図形Ｈ１は、撮影装置の寝台を示す図形Ｄ１に対する、医用画像Ｉ１撮影時の患者の姿勢を表示している。ここで、患者の姿勢は、予め決められた方法で取得しておく。例えば、医用画像データベース２または不図示の放射線科情報システム（ＲＩＳ）に、患者の姿勢を示す情報が保存されている場合は、これらの装置から、ＬＡＮ３を介して、患者の姿勢を示す情報を取得することができる。または、患者の姿勢を示す情報が直接入手できない場合であっても、モダリティと撮影部位がわかれば、伏臥位か仰臥位かを判断できる場合がある。例えば、モダリティがＣＴまたはＰＥＴの場合は、通常、患者の姿勢は仰臥位である。また例えば、モダリティがＭＲＩで撮影部位が乳房の場合は、通常、患者の姿勢は伏臥位である。従って、患者の姿勢を示す正確な情報が得られない場合は、モダリティや撮影部位などの他の属性情報から、一般的な患者の姿勢を判断すればよい。更に、図２と同様に、必要に応じて目盛りＭ１を表示してもよい。
【００１９】
図形Ｇ１は、重力方向を表示している。同図の例では、患者は寝台の上に横たわるので、重力方向は患者から寝台に向かう方向であることがわかっている。医用画像Ｉ１の属性情報Ａ１としての撮影部位を示す図形Ｆ１は、医用画像Ｉ１の撮影部位を適切に示す位置に、撮影範囲を表す矩形として表示される。
【００２０】
図４は、第１の実施形態に係る表示装置の第３の画面表示例を示す図である。図３と同様に、医用画像リストの表示は省略しており、図形情報表示エリア４２０だけを表示している。
【００２１】
図４の例では、異なる方向から撮影可能な撮影装置（例えば、フラットパネル式のＸ線撮影装置）によって同一患者の医用画像Ｉ１及びＩ２が撮影された場合を想定している。同図において、人体模式図である図形Ｈ１は、図形Ｇ１で示される重力方向に対する、医用画像Ｉ１及びＩ２の撮影時の患者の姿勢を表示する。医用画像Ｉ１及びＩ２の不図示の撮影方向Ｂ１及びＢ２に対応する図形Ｄ１及びＤ２は、図形Ｈ１で示される患者に対する撮影装置の配置を示す様に表示する。ここで、患者に対する撮影装置の配置や重力方向は、予め決められた方法で取得しておく。例えば、医用画像データベース２または不図示のＲＩＳに、患者に対する撮影装置の配置や重力方向を示す情報が保存されている場合は、これらの装置から、ＬＡＮ３を介して、必要な情報を取得することができる。更に、図２と同様に、必要に応じて目盛りＭ１を表示してもよい。
【００２２】
図５は、第１の実施形態に係る表示装置の制御手順を示すフローチャートである。
【００２３】
ステップＳ５０１では、医用画像リストのリスト表示条件を取得する。ここで、リスト表示条件とは、図２に例示した医用画像リスト２１０や図形情報表示エリア２２０の表示方法を決める条件である。ユーザの指示に従ってリスト表示条件を変更することにより、医用画像リスト２１０に表示するリスト表示項目の種類や、図形情報表示エリア２２０に表示する図形Ｆ１の種類、表示位置、表示サイズなどを変更できる。ステップＳ５０１において、予め磁気ディスク１０２に記憶しておいたリスト表示条件を主メモリ１０１に読み出すことで、リスト表示条件の初期値を取得する。ステップＳ５０１では、更に、マウス１０５やキーボード１０６からユーザの指示が入力された場合は、ユーザの指示に従ってリスト表示条件を変更し、変更後のリスト表示条件を主メモリ１０１に記憶する。
【００２４】
ステップＳ５０２では、前記リスト表示条件に従って、ＬＡＮ３を介して、医用画像リスト表示に必要な情報（リスト表示項目）を医用画像データベース２から読み出す。ステップＳ５０３では、ステップＳ５０２で読み出した情報を表形式に編集してから表示メモリ１０３に書き込むことで、医用画像リストをモニタ１０４に表示する。ステップＳ５０４では、マウス１０５やキーボード１０６から入力されるユーザの指示に従って、医用画像リスト中から一つの医用画像Ｉ１を選択する。
【００２５】
ステップＳ５０５では、医用画像Ｉ１の属性情報Ａ１を取得する。ここで、属性情報Ａ１が、医用画像リスト２１０の中に記載されている場合はそこから読み出せばよい。一方、属性情報Ａ１が、医用画像リスト２１０の中に記載されていない場合は、前記ステップＳ５０２において、リスト表示項目と同時に非表示の属性情報Ａ１も読み出しておく。そして、医用画像リスト２１０に非表示の属性情報Ａ１を加えた第２の（非表示の）医用画像リスト２１０’を予め主メモリ１０１上に作成しておく。これにより、主メモリ１０１上の第２の（非表示の）医用画像リスト２１０’から属性情報Ａ１を読み出すことができる。
【００２６】
ステップＳ５０６では、属性情報Ａ１に正確なサイズ情報（正確な撮影範囲及び患者の身長）が含まれているかどうかを判断する。属性情報Ａ１に正確なサイズ情報が含まれている場合はステップＳ５０７とＳ５０８を実行し、含まれていない場合はステップＳ５０９を実行する。
【００２７】
ステップＳ５０７では、属性情報Ａ１に含まれる正確なサイズ情報に応じて、人体模式図（図２の例では図形Ｈ１）のサイズと目盛りＭ１のサイズを決定する。ステップＳ５０８では、予め磁気ディスク１０２に記憶しておいた人体模式図と目盛りＭ１を読み出し、表示メモリ１０３の図形情報表示エリアに書き込むことで、人体模式図と目盛りＭ１をモニタ１０４に表示する。なお、図３に例示した表示形態を用いる場合は、次ステップＳ５０９において図形Ｆ１の種類と表示位置と決定するのと同様に、医用画像の属性情報に基づいて人体模式図の種類を決定する。この場合に参照する属性情報は、寝台に対する患者の姿勢を示す情報であり、人体模式図の種類には、仰臥位、伏臥位、横臥位などがある。
【００２８】
一方、ステップＳ５０９では、予め磁気ディスク１０２に記憶しておいた人体模式図（図２の例では図形Ｈ１）を読み出し、表示メモリ１０３の図形情報表示エリアに書き込むことで、人体模式図をモニタ１０４に表示する。なお、図３に例示した表示形態を用いる場合は、次ステップＳ５０９において図形Ｆ１の種類と表示位置と決定するのと同様に、医用画像の属性情報に基づいて人体模式図の種類を決定する。
【００２９】
ステップＳ５０９では、属性情報Ａ１を示す図形Ｆ１の種類と表示位置を決定する。図形Ｆ１の種類には、例えば、様々な表示属性（色、線幅、模様など）を備えた枠線またはマスク図形（透過色を持つ矩形など）がある。図２、３の例では、網目模様を持つマスク図形が用いられている。図形Ｆ１の表示位置は、医用画像Ｉ１の撮影部位に対応した人体模式図上の適切な位置に決定する。人体模式図（図形Ｈ１）は、図形情報表示エリア内の予め定めた位置（座標）に表示するので、図形Ｆ１も、医用画像Ｉ１の撮影部位に応じて予め定めておいた位置（座標）に表示すればよい。なお、上述の図形Ｆ１の種類と表示位置は、予め定められ、磁気ディスク１０２に保存されており、前記ステップＳ５０１において、リスト表示条件の取得時に主メモリ１０１に読み出される。
【００３０】
ステップＳ５１０では、前記ステップＳ５０９で決定された図形Ｆ１を人体模式図上に重畳表示する。また、ステップＳ５１０では、図形Ｆ１あるいはＦ１と似た表示効果（背景色や枠線の色など）を、医用画像リスト２１０上の医用画像Ｉ１の表示エリア（リストの一行）に描画する。これにより、医用画像リスト２１０上の医用画像Ｉ１の表示エリアが明らかになると共に、人体模式図上の図形Ｆ１によって、医用画像Ｉ１の属性情報Ａ１が一目で理解できる。
【００３１】
以上の制御手順により、選択された医用画像Ｉ１の属性情報Ａ１を示す図形Ｆ１を人体模式図上の適切な位置に表示することができる。
【００３２】
［第２の実施形態］
本実施形態では、同じ患者ＩＤを持つ複数の医用画像の属性情報を示す図形を人体模式図上の適切な位置に同時に表示する。第２の実施形態に係る表示装置の機器構成例は図１と同様であり、第１の実施形態で説明済みなので、ここでは説明を省略する。
【００３３】
図６は、第２の実施形態に係る表示装置の第１の画面表示例を示す図である。同図は、第１の実施形態における図２と同様の点が多いので、図２と同様の点については説明を省略し、以下では図２と異なる点だけを説明する。
【００３４】
図６において、医用画像リスト６１０には、同じ患者ＩＤを有する医用画像リストが表示されている。ユーザは、リスト表示条件として、特定の患者ＩＤと撮影日の範囲（例えば、過去１年以内）を指定することで、同図に例示した医用画像リスト６１０を得ることができる。
【００３５】
図形情報表示エリア６２０には、人体模式図である図形Ｈ１と、同じ患者ＩＤを有する医用画像Ｉ１〜Ｉｎの夫々の所定の属性情報Ａ１〜Ａｎを示す図形Ｆ１〜Ｆｎを表示する。同図の例では、ｎ＝４である。ここで、図形Ｆ１〜Ｆｎは、医用画像Ｉ１〜Ｉｎの夫々の所定の属性情報Ａ１〜Ａｎをグラフィカルに表示する情報という意味で用いており、図形の代わりに画像や記号を用いてもよい。同図の例では、医用画像の所定の属性情報Ａ１〜Ａｎとして撮影部位が利用されており、図形Ｆ１〜Ｆ４は、医用画像Ｉ１〜Ｉ４の夫々の撮影部位を適切に示す位置に、撮影範囲を表す矩形として表示される。また、第１の実施形態で述べた通り、撮影部位の代わりに、より正確な撮影位置情報を用いることができる場合は、それらの情報を用いて、図形Ｆ１〜Ｆ４を図形Ｈ１に対して、より正確な位置に表示することができる。
【００３６】
図７は、第２の実施形態に係る表示装置の制御手順を示すフローチャートである。
【００３７】
ステップＳ７０１では、医用画像リストのリスト表示条件を取得する。ここで、ユーザがリスト表示条件として、特定の患者ＩＤや撮影日の範囲（例えば、過去１年以内）を指定することで、図６に例示した医用画像リスト６１０を得ることができる。
【００３８】
ステップＳ７０２では、前記リスト表示条件に従って、ＬＡＮ３を介して、医用画像リスト表示に必要な情報（リスト表示項目）を医用画像データベース２から読み出す。ステップＳ７０３では、ステップＳ７０２で読み出した情報を表形式に編集してから表示メモリ１０３に書き込むことで、医用画像リストをモニタ１０４に表示する。ステップＳ７０４では、予め磁気ディスク１０２に記憶しておいた人体模式図（図６の例では図形Ｈ１）を読み出し、表示メモリ１０３の図形情報表示エリアに書き込むことで、人体模式図をモニタ１０４に表示する。
【００３９】
ステップＳ７０５では、インデックスｋに値１を代入する。ここで、インデックスｋは、医用画像リスト６１０に表示された医用画像Ｉ１〜Ｉｎの中の一つの医用画像Ｉｋ（ｋ＝１〜ｎ）を指定するために使用する。また、医用画像Ｉｋの属性情報をＡｋとし、その属性情報Ａｋを示す図形をＦｋとする。ステップＳ７０６では、医用画像Ｉｋの属性情報Ａｋを取得する。
【００４０】
ステップＳ７０７では、属性情報Ａｋを示す図形Ｆｋの種類と表示位置を決定する。ここで、図形Ｆｋは、他の図形Ｆｋ’（ｋ’≠ｋ）とは異なる種類の表示属性（色、線幅、模様など）を備えた図形とする。図形Ｆｋの表示位置は、医用画像Ｉｋの撮影部位に対応した人体模式図上の適切な位置に決定する。人体模式図（図形Ｈ１）は、図形情報表示エリア内の予め定めた位置（座標）に表示するので、図形Ｆｋも、医用画像Ｉｋの撮影部位に応じて予め定めておいた位置（座標）に表示すればよい。
【００４１】
ステップＳ７０８では、前記ステップＳ７０７で決定された図形Ｆｋを人体模式図上に重畳表示する。また、ステップＳ７０８では、図形ＦｋあるいはＦｋと似た表示効果（背景色や枠線の色など）を、医用画像リスト６１０上の医用画像Ｉｋの表示エリア（リストの一行）に描画する。これにより、医用画像リスト６１０上の医用画像Ｉｋの表示エリアが明らかになると共に、人体模式図上の図形Ｆｋによって、医用画像Ｉｋの属性情報Ａｋが一目で理解できる。
【００４２】
ステップＳ７０９では、前記インデックスｋに値１を加算する。ステップＳ７１０では、前記インデックスｋの値が、医用画像リスト６１０に表示された同じ患者ＩＤを有する医用画像数ｎの値より大きいかどうかを判断し、ｋがｎ以下であればステップＳ７０６に戻り、ｋがｎより大きければ処理を終了する。
【００４３】
以上の制御手順により、同じ患者ＩＤを持つ複数の医用画像Ｉ１〜Ｉｎの属性情報Ａ１〜Ａｎを示す図形Ｆ１〜Ｆｎを人体模式図上の適切な位置に同時に表示することができる。
【００４４】
［変形例］
図７のステップＳ７０８において、図形Ｆｋを表示する際に、前回描画した図形Ｆ（ｋ−１）を消去してから、図形Ｆｋを描画する表示制御を行うことにより、図形Ｆ１〜Ｆｎを人体模式図上に順次切り替えながら表示できる。更に、ステップＳ７０５からステップＳ７１０までの処理を、ユーザ指示があるまで繰り返し実行することにより、図形Ｆ１〜Ｆｎの順次表示を、何度も繰り返し表示することができる。
【００４５】
以上説明した通り、本発明に係る表示装置によれば、医用画像の属性情報を示す図形を人体模式図に対して適切な位置に表示することにより、患者の正確な撮影部位や患者の撮影時の姿勢を容易に判別することができるようになるという効果がある。また更に、同じ患者ＩＤを有する複数の医用画像の夫々の属性情報を示す図形を人体模式図に対して適切な位置に同時または順次表示することにより、同一患者の複数の医用画像の属性情報を容易に判別することができるようになるという効果がある。
【００４６】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４７】
１      表示装置
２      医用画像データベース
１０    制御部１０
１００  中央処理装置（ＣＰＵ）
１０１  主メモリ
１０２  磁気ディスク
１０３  表示メモリ
１０４  モニタ
【図１】
2012071122.tif 000003
【図２】
2012071122.tif 000004
【図３】
2012071122.tif 000005
【図４】
2012071122.tif 000006
【図５】
2012071122.tif 000007
【図６】
2012071122.tif 000008
【図７】
2012071122.tif 000009